(57)【要約】      （修正有）【課題】ユーザーが選局ボタンに割り当てていた放送局の視聴が移動先の地域においても極力同じ選局ボタンにて行えるディジタル放送受信装置を提供する。【解決手段】初回（前処理）における選局ボタンの割当処理ではユーザー操作で各選局ボタンに個別に放送局を割り当てる。この割り当てに基づき、ＣＰＵ２０９は選局ボタン番号と放送局識別ＩＤとを対応付けたポジション設定テーブルを作成する。移動によって受信地域に変更が生じたときの選局ボタンの再割当処理においては、チャンネルスキャンを実行する。ここで、或る放送波から取得した放送局識別ＩＤが「２」であり、当該放送波を受信するための周波数がｘｘｘＭＨｚであったとする。ＣＰＵ２０９は、前記ポジション設定テーブルに対応する選局テーブルにおいて、当該放送波を受信するための周波数情報（ｘｘｘＭＨｚ）を、前記放送局識別ＩＤとして「２」を持つ選局ボタンに割り付け直す（更新する）。【選択図】図１
2006254322.tif 000002
【特許請求の範囲】
【請求項１】
地域により受信可能な放送局が異なる地上ディジタル放送を受信するディジタル放送受信装置において、少なくとも選局ボタンの番号と放送事業者又は放送事業者系列を識別するための放送局識別ＩＤとを対応付けたポジション設定テーブルを記憶する記憶手段と、周波数の異なる放送波を順次検出していく処理を行うチャンネルスキャン手段と、前記処理により検出した放送波から少なくとも前記放送局識別ＩＤを取得する情報取得手段と、前記ポジション設定テーブルに格納されている選局ボタン番号と放送局識別ＩＤとの対応関係に基づき同じ放送局識別ＩＤを持つ放送が同じ選局ボタンで選局されるように放送取得のための選局情報を更新する更新手段と、を備えたことを特徴とするディジタル放送受信装置。
【請求項２】
請求項１に記載のディジタル放送受信装置において、ユーザーが所望の選局ボタンに所望の放送局を対応付ける操作を行うことにより、前記所望の放送局の放送局識別ＩＤと前記所望の選局ボタンの番号とが対応付けられて前記ポジション設定テーブルに記憶されることを特徴とするディジタル放送受信装置。
【請求項３】
請求項１に記載のディジタル放送受信装置において、ユーザーが所望の選局ボタンに所望のサービスを対応付ける操作を行うことにより、前記所望のサービスを提供している放送局の放送局識別ＩＤと前記所望の選局ボタンの番号とが対応付けられて前記ポジション設定テーブルに記憶されることを特徴とするディジタル放送受信装置。
【請求項４】
請求項３に記載のディジタル放送受信装置において、ユーザーが或るサービスを視聴している状態で選局ボタン決定操作を行ったときに、当該サービスの放送波のトランスポートストリームから取り出された放送局識別ＩＤと選局ボタンの番号とが対応付けられることを特徴とするディジタル放送受信装置。
【請求項５】
請求項１乃至請求項４のいずれかに記載のディジタル放送受信装置において、前記ポジション設定テーブルは、選局ボタンの番号と放送局識別ＩＤとトランスポートストリームＩＤとが対応付けらたテーブルであることを特徴とするディジタル放送受信装置。
【発明の詳細な説明】
【技術分野】
【０００１】
この発明は、地上ディジタル放送を受信するディジタル放送受信装置に関する。
【背景技術】
【０００２】
地上ディジタル放送はアナログ地上波にみられるように各地に配置された複数の放送局によって放送を行うこととしており、衛星ディジタル放送のような一元放送とはならない。すなわち、地上波ディジタル放送においても、アナログ方式と同様に放送周波数配置は各放送局によって異なることになる。
【０００３】
このため、或る地域に設置されていた受信機が引っ越し等によって他の地域に移動された場合、その移動の地で受信可能な放送局のチャンネルを選局ボタンに再度割り当てる操作が必要になる。従来技術として、例えば、移動前に○○放送を選局ボタン「１」に割り当てていた場合に、移動地においても○○放送を選局ボタン「１」に割り当てる処理を自動実行するものが知られている（特許文献１参照）。
【特許文献１】特開２００１−２４４８３２５号公報
【発明の開示】
【発明が解決しようとする課題】
【０００４】
しかしながら、上記従来の技術では、系列関係にある放送局名を一纏まりのリストとして記憶する系列放送局テーブルを備える必要がある。
【０００５】
この発明は、上記の事情に鑑み、系列放送局テーブルを備えなくても、ユーザーが選局ボタンに割り当てていた放送局またはその放送局と系列関係にある放送局の視聴が移動先の地域においても極力同じ選局ボタンにて行えるディジタル放送受信装置を提供することを目的とする。
【課題を解決するための手段】
【０００６】
この発明のディジタル放送受信装置は、上記課題を解決するために、地域により受信可能な放送局が異なる地上ディジタル放送を受信するディジタル放送受信装置において、少なくとも選局ボタンの番号と放送事業者又は放送事業者系列を識別するための放送局識別ＩＤとを対応付けたポジション設定テーブルを記憶する記憶手段と、周波数の異なる放送波を順次検出していく処理を行うチャンネルスキャン手段と、前記処理により検出した放送波から少なくとも前記放送局識別ＩＤを取得する情報取得手段と、前記ポジション設定テーブルに格納されている選局ボタン番号と放送局識別ＩＤとの対応関係に基づき同じ放送局識別ＩＤを持つ放送が同じ選局ボタンで選局されるように放送取得のための選局情報を更新する更新手段と、を備えたことを特徴とする。
【０００７】
上記の構成であれば、ユーザーが選局ボタンに割り当てていた放送局またはその放送局と系列関係にある放送局の視聴が移動先の地域においても極力同じ選局ボタンにて行える。更に、系列関係にある放送局名を一纏まりのリストとして記憶する系列放送局テーブルを備えなくてもよい。
【０００８】
上記構成のディジタル放送受信装置において、ユーザーが所望の選局ボタンに所望の放送局を対応付ける操作を行うことにより、前記所望の放送局の放送局識別ＩＤと前記所望の選局ボタンの番号とが対応付けられて前記ポジション設定テーブルに記憶されることとしてもよい。
【０００９】
或いは、上記ディジタル放送受信装置において、ユーザーが所望の選局ボタンに所望のサービスを対応付ける操作を行うことにより、前記所望のサービスを提供している放送局の放送局識別ＩＤと前記所望の選局ボタンの番号とが対応付けられて前記ポジション設定テーブルに記憶されることとしてもよい。かかる構成にいて、ユーザーが或るサービスを視聴している状態で選局ボタン決定操作を行ったときに、当該サービスの放送波のトランスポートストリームから取り出された放送局識別ＩＤと選局ボタンの番号とが対応付けられるのがよい。
【００１０】
これら構成のディジタル放送受信装置において、前記ポジション設定テーブルは、選局ボタンの番号と放送局識別ＩＤとトランスポートストリームＩＤとが対応付けらたテーブルであってもよい。
【発明の効果】
【００１１】
この発明によれば、ユーザーが予めポジション設定テーブルを設定しておくことにより（予め選局ボタンに放送割り当てを行っておくことにより）、ユーザーが選局ボタンに割り当てていた放送局またはその放送局と系列関係にある放送局の視聴が移動先の地域においても極力同じ選局ボタンにて行えるという効果を奏する。
【発明を実施するための最良の形態】
【００１２】
以下、この発明の実施形態を図１乃至図４に基づいて説明する。
【００１３】
図１はこの実施形態の車載型のディジタル放送受信装置を示したブロック図であり、図２はその外観を示した正面図である。なお、ディジタル放送受信装置がＴＶ付き携帯電話として構成されるときには、例えば、図３に示す外観を有することになる。
【００１４】
車載型のディジタル放送受信装置２は、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をスピーカ２０３から出力するようになっている。なお，この実施形態では符号化映像データはＨ．２６４データであるとする。
【００１５】
メモリカード３から読み出した符号化映像データは、ＰＣＭＣＩＡインターフェイス２２０、及びシステムバス２１３を経てビデオデコーダ２０４に供給される。また、地上波ディジタルチューナ２３０は、地上ディジタル放送で送信されてくるビットストリームデータを取り出し、ビデオデコーダ２０４やオーディオデコーダ２０６に与える。
【００１６】
ビデオデコーダ２０４は、ビットストリームデータを復号して量子化係数や動きベクトルを求め、逆ＤＣＴ変換や動きベクトルに基づく動き補償制御などを行い、これによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー画面等）を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、ビデオデコーダ２０４における上記処理において利用される。
【００１７】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してスピーカ２０３に与える。
【００１８】
操作パネル２１４は、操作ボタン、十字キー（方向キー）、選局ボタン等を備えている。この操作パネル２１４に対する操作情報は、インターフェイス２１５、及びシステムバス２１３を介してＣＰＵ２０９に与えられる。なお、この実施形態では、液晶表示パネル２０２上に設けたタッチパネルにて前記操作パネルの全部又は一部を構成している。図２における選局ボタン（１〜１２）は、ＯＳＤ表示によって液晶表示パネル２０２上に表示されるものであり、また、常時表示されるのではなく、所定の操作がなされたとき（例えば、ＴＶキーと表記されたボタンが押下されたときに表示される。ＣＰＵ２０９は操作パネル２１４に対する操作情報に基づいて必要な処理を実行する。
【００１９】
また、ディジタル放送受信装置２は、ＦｌａｓｈＲＯＭ２１８やＳＤＲＡＭ２１９も備える。ＦｌａｓｈＲＯＭ２１８には、後述するポジション設定テーブル及び選局テーブルが格納されている。電池２２１は車載二次電池である。
【００２０】
ＣＰＵ２０９は、このディジタル放送受信装置２における全体制御を行うものであるが、特にこの発明にかかる処理として、チャンネルスキャン処理、リモコンキーＩＤの取得処理、初回（前処理）における選局ボタンの割当処理、移動によって受信地域に変更が生じたときの選局ボタンの再割当処理等を行う。
【００２１】
（チャンネルスキャン処理）
例えば、受信装置２の毎日の初回電源投入時（例えば、毎日の最初のエンジン始動時）、これまで受信できていた放送が受信できなくなったとき、ユーザによるチャンネルスキャン指令を受けたとき等に、ＣＰＵ２０９はチャンネルスキャンを実行する。ＣＰＵ２０９は、チューナ２３０に地上ディジタル放送が送信されるＵＨＦ帯域の最も低い周波数を選局させて有局判定を行う。有局（ディジタル放送有り）と判断した場合には、その周波数情報、受信したトランスポートストリームから分離した付属情報（放送事業者又は放送事業者系列を識別するための放送局識別ＩＤ（affiliation id）、番組情報等）を抽出し、ＦｌａｓｈＲＯＭ２１８に記憶する。この処理を、順次周波数を上げて最も高い周波数まで続ける（例えば、１２ｃｈ乃至６１ｃｈまで）。前記放送局識別ＩＤ（affiliation id）は、前記トランスポートストリームからＰＳＩを分離し、このＰＳＩのなかのＢＩＴ（Ｂｒｏａｄｃａｓｔｅｒ  Ｉｎｆｏｒｍａｔｉｏｎ  Ｔａｂｌｅ）から取り出すことができる。
【００２２】
（リモコンキーＩＤの取得処理）
上述したチャンネルサーチに際し、有局の周波数において、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）からリモコンキーＩＤを取り出す。
【００２３】
（初回（前処理）における選局ボタンの割当処理）
初回（前処理）における選局ボタンの割当処理は、前記リモコンキーＩＤに基づいて自動実行することによりできるし、ユーザー操作で各選局ボタン（１〜１２のボタン：図２，図３参照）に個別に放送局等を割り当てることによってもできる。
【００２４】
前者の処理においては、取得したリモコンキーＩＤが示す番号の選局ボタンに当該放送局を受信するための周波数情報等を対応させる。すなわち、○○放送局がリモコンキーＩＤとして「３」をトランスポートストリームに付加して送信することにより、受信装置２は、前記トランスポートストリームを受信してリモコンキーＩＤを取得し、選局ボタン「３」に○○放送局を設定する（○○放送局を受信するための周波数情報及びトランスポートストリームＩＤを選局ボタン「３」に対応付ける）。以後、ユーザによって選局ボタン「３」が操作されると、○○放送局の放送が選局されるようになる。
【００２５】
後者の処理においては、ユーザーは好みの放送局を好みの選局ボタンに割り当てることができる。例えば、前記チャンネルスキャンで得られた各放送における放送局名に基づいて作成した放送局名一覧と共に、各放送局名の右隣の位置に番号入力枠を設けたＯＳＤ画面を表示する。また、このＯＳＤ画面において、例えば右縁に番号ボタンを縦一列に表示する。ユーザーは、所望の放送局の表示位置をタッチし、その後に所望の番号の番号ボタンをタッチすることで、前記所望の放送局を所望の選局ボタンに割り当てることができる。ＣＰＵ２０９は、選局ボタンの番号と放送局の放送局識別ＩＤ（affiliation id）と放送事業者名とトランスポートストリームＩＤとを対応付けたポジション設定テーブルを作成し、このポジション設定テーブルをＦｌａｓｈＲＯＭ２１８に格納する。例えば、図４（ａ）に例示しているポジション設定テーブルにおいては、選局ボタン番号＝「１」に放送局識別ＩＤ（affiliation id）＝「２」が対応付けられている。また、ＣＰＵ２０９は、上記ポジション設定テーブルに関連付けた選局テーブルを作成し、ＦｌａｓｈＲＯＭ２１８に格納する。この選局テーブルは、例えば、放送局識別ＩＤ（affiliation id）が「２」である放送の周波数情報を、選局ボタン番号＝「１」に割り当てたテーブルである。
【００２６】
また、後者の処理において、ユーザーは所望のサービス（例えば、○○ステーションといった名前の番組）を提供している放送局を所望の選局ボタンに割り当てることができる。例えば、ＣＰＵ２０９は、番組「○○ステーション」の受信中に、所定のキーが操作されたことを検出すると、「番号を入力してください。その番号が選局のためのポジション番号になります。」といったメッセージをＯＳＤ表示する。ユーザーによって例えば「６」のボタンが操作されると、選局ボタン「６」に番組「○○ステーション」を放送している放送局を割り当てることになる。ＣＰＵ２０９は、選局ボタンの番号と放送局の放送局識別ＩＤ（affiliation id）と放送事業者名とトランスポートストリームＩＤとを対応付けたポジション設定テーブルを作成し、このポジション設定テーブルをＦｌａｓｈＲＯＭ２１８に格納する。例えば、図４（ｂ）に例示しているポジション設定テーブルにおいては、選局ボタン番号＝「１」に放送局識別ＩＤ（affiliation id）＝「３」が対応付けられている。また、ＣＰＵ２０９は、上記ポジション設定テーブルに関連付けて選局テーブルを作成し、ＦｌａｓｈＲＯＭ２１８に格納する。この選局テーブルは、例えば、放送局識別ＩＤ（affiliation id）が「３」である放送の周波数情報を、選局ボタン番号＝「１」に割り当てたテーブルである。
【００２７】
この初回（前処理）における選局ボタンの割当処理で作成されたポジション設定テーブルは、ユーザーによる解除処理や初期化操作がなされないかぎり、原則として不変である。
【００２８】
（移動によって受信地域に変更が生じたときの選局ボタンの再割当処理）
ここで、仮に、初回（前処理）において、ポジション設定テーブルが図４（ａ）に示すように確定していたとする。再割当処理では、前述したチャンネルスキャンを実行し、各放送波から放送局識別ＩＤ（affiliation id）を取得する。このチャンネルスキャンにおいて、或る放送波から取得した放送局識別ＩＤ（affiliation id）が「２」であり、当該放送波を受信するための周波数がｘｘｘＭＨｚであったとする。ＣＰＵ２０９は、図４（ａ）のポジション設定テーブルに関連付けられている選局テーブルにおいて、当該放送波を受信するための周波数情報（ｘｘｘＭＨｚ）を、前記放送局識別ＩＤとして「２」を持つ選局ボタン「１」に割り付け直す（更新する）。これにより、移動によって受信地域が変更されたときでも、それ以前に選局ボタン「１」で受信できていた放送と同じ放送（同じトランスポートストリーム）を選局ボタン「１」で受信できることになる。
【００２９】
なお、上記の例では、放送局識別ＩＤとしてＢＩＴから取り出したaffiliation idを用いたが、これに限るものではない。ここで、地上ディジタル放送では、サービス識別（１６ビット）が付属情報としてトランスポートストリームに付加される。前記サービス識別は、６ビットの地域識別と、３ビットのサービス種別と、４ビットの地域事業者識別と、３ビットのサービス番号とから成る。前記地域事業者識別を放送局識別ＩＤとすることができる。また、上記の例では、ポジション設定テーブルにおいて、トランスポートストリームＩＤを選局ボタン番号に対応付けており、複数のトランスポートストリームが存在する場合に上記トランスポートストリームＩＤで特定のトランスポートストリームを選択できるようにしているが、前記サービス種別を用いて特定のサービスが選択されるようにしてもよい。例えば、選局ボタン「１」で受信していたサービスと同一種のサービス（例えば、データ放送）を移動後においても選局ボタン「１」で受信するようにしてもよい。また、先にも述べたが、この発明のディジタル放送受信装置は、ＴＶ付き携帯電話として構成することもできる（図３参照）。また、この発明のディジタル放送受信装置は、据え置き型のディジタル放送受信装置としても構成することができ、引っ越し等によってディジタル放送受信装置が移動された場合に効果を発揮する。
【図面の簡単な説明】
【００３０】
【図１】この発明の実施形態のディジタル放送受信装置の構成を示したブロック図である。
【図２】この発明の実施形態のディジタル放送受信装置（車載型）の外観を示した正面図である。
【図３】この発明の実施形態のディジタル放送受信装置（携帯電話型）の外観を示した正面図である。
【図４】同図（ａ）のポジション設定テーブルの一例を示した説明図であり、同図（ｂ）はポジション設定テーブルの他の例を示した説明図である。
【符号の説明】
【００３１】
２      ディジタル放送受信装置
２０２  ＬＣＤパネル
２０５  グラフィックスコントローラ
２０７  ＬＣＤコントローラ
２０９  ＣＰＵ
２３０  地上ディジタルチューナ
【図１】
2006254322.tif 000003
【図２】
2006254322.tif 000004
【図３】
2006254322.tif 000005
【図４】
2006254322.tif 000006